(57)【要約】    【課題】移動、削除が行われる文書等がトラックをはっている記事のブログサイトの閲覧ユーザが、そのような移動、削除により不測の不都合を受けないようにする。    【解決手段】期限管理部１６は、期限管理データベース１７に保管管理されている期限管理情報を参照して記事の削除、移管を制御し、さらに、記事の削除、移管の事前通知を記事のトラックバック先に送信する。期限管理データベース１７が管理する期限管理レコードは、トラックバック元の記事（文書）の識別子、ネットワークアドレス（ＵＲＬ）、削除、移管の別、削除、移管の時期、移管の場合には移管先情報（ＵＲＬ）を含む。期限管理部１６は、事前に通知するタイミングが到来している期限管理レコードを取り出して、該当記事をトラックバック元とし、トラックバック先をそのままトラックバック先としてトラックバック通知を生成してトラックバック通知送信部１３を介してトラックバック先のブログサーバ１００へ送信する。【選択図】図１
2008181343.tif 000002
【特許請求の範囲】
【請求項１】
記事のトラックバック先情報と、記事の削除および移動の少なくとも一方に関する情報とを含む管理情報を保持する記憶手段と、
上記登録管理情報に基づいて、トラックバック先のブログサーバ装置に上記記事のアドレス情報および上記記事のトラックバック先情報を含む、上記記事の削除通知および移動通知の少なくとも一方を送信する通知手段とを有することを特徴とするブログサーバ装置。
【請求項２】
記事のアドレス情報と、記事のトラックバック先情報と、記事の削除および移動の少なくとも一方の予定時期に関する情報とを含む管理情報を保持する記憶手段と、
上記記事の削除および移動の少なくとも一方の通知のタイミングを判別する判別手段と、
判別された通知のタイミングで上記記事の削除および移動の少なくとも一方の通知を上記記事のトラックバック先のブログサーバ装置に送信する手段と、
上記予定時期に上記記事の削除および移動の少なくとも一方を行う記事処理手段とを有することを特徴とするブログサーバ装置。
【請求項３】
上記通知手段は、上記記事の削除通知および移動通知の少なくとも一方を、トラックバックの通知により実行する請求項１または２記載のブログサーバ装置。
【請求項４】
記事のアドレス情報および上記記事のトラックバック先情報を含む、上記記事の削除通知および移動の少なくとも一方を受け取る受信手段と、
上記記事の削除通知および移動通知の少なくとも一方に基づいて上記削除通知および移動通知の少なくとも一方の通知内容を含むトラックバックのエントリを形成する形成手段とを有することを特徴とするブログサーバ装置。
【請求項５】
上記通知が移動通知の場合、既存のトラックバックのエントリを上記移動通知を行う新たなトラックバックのエントリで更新する請求項４記載のブログサーバ装置。
【請求項６】
記事の削除期限および移動期限の少なくとも一方を設定する設定手段と、
上記記事の削除期限および移動期限の少なくとも一方の情報を含むように、上記記事をトラックバック元とするトラックバック通知を生成する生成手段と、
上記トラックバック通知をトラックバック先のブログサーバ装置に送信する送信手段とを有することを特徴とするブログサーバ装置。
【請求項７】
第１のブログサーバ装置および第２のブログサーバ装置を有する情報共有システムにおいて、
上記第１のブログサーバ装置は、
記事のトラックバック先情報と、記事の削除および移動の少なくとも一方を含む管理情報とを保持する記憶手段と、
上記登録管理情報に基づいて、トラックバック先のブログサーバ装置に上記記事のアドレス情報および上記記事のトラックバック先情報を含む、上記記事の削除通知および移動通知の少なくとも一方を送信する通知手段とを有し、
上記第２のブログサーバ装置は、
記事のアドレス情報および上記記事のトラックバック先情報を含む、上記記事の削除通知および移動の少なくとも一方を受け取る受信手段と、
上記記事の削除通知および移動通知の少なくとも一方に基づいて上記削除通知および移動通知の少なくとも一方の通知内容を含むトラックバックのエントリを形成する形成手段とを有することを特徴とする情報共有システム。
【請求項８】
記事のトラックバック先情報と、記事の削除および移動の少なくとも一方に関する情報とを含む管理情報を記憶手段に保持するステップと、
上記登録管理情報に基づいて、トラックバック先のブログサーバ装置に上記記事のアドレス情報および上記記事のトラックバック先情報を含む、上記記事の削除通知および移動通知の少なくとも一方を送信するステップとをブログサーバ装置に実行させるために用いられることを特徴とするブログサーバ装置で実行されるブログサービス提供方法。
【請求項９】
記事のトラックバック先情報と、記事の削除および移動の少なくとも一方に関する情報とを含む管理情報を記憶手段に保持するステップと、
上記登録管理情報に基づいて、トラックバック先のブログサーバ装置に上記記事のアドレス情報および上記記事のトラックバック先情報を含む、上記記事の削除通知および移動通知の少なくとも一方を送信するステップとをブログサーバ装置に実行させるために用いられることを特徴とするブログサービス提供用コンピュータプログラム。
【発明の詳細な説明】
【技術分野】
【０００１】
この発明は、ブログサーバ装置およびこれを利用した情報共有システムに関し、とくに、文書の期限管理に伴う問題点を解消したものである。
【背景技術】
【０００２】
ユーザ毎に投稿サイトを準備してユーザが投稿した記事をウェブ技術を用いて公開するブログサービス（Ｗｅｂｌｏｇ）が知られている。ブログサービスではトラックバックという仕組みがあり、ユーザＡが書いた記事のエントリに関してユーザＢがエントリを書いた際、ユーザＢがユーザＡのエントリに対してトラックバックをはることができる。そうすると、ユーザＡのエントリにユーザＢのエントリへのリンクが設定されるようになる。これによってユーザＡのエントリに関連するエントリをたどっていくことができるようになっている。以下ではこのような状況のユーザＡのエントリをトラックバック先と呼び、ユーザＢのエントリをトラックバック元と呼ぶ。
【０００３】
また、ブログは日記や写真などの公開手段として利用されることが多いが、文書共有のシステムとしても利用することが可能である。
【０００４】
ところで、必要以上にシステム環境を圧迫しないためにも、期限管理との組み合わせが有効である。しかし、上述のトラックバックを利用していると、エントリを移動、削除したときに、ユーザＡのエントリに設定されたリンクはリンク切れとなってしまい、期限管理を組み合わせた場合にはこのようなリンク切れが多数発生してしまう。
【０００５】
なお、公開後の削除など、閲覧の変更を複数の第三者に対して確実に通知できる情報提供システムとして、特許文献１の「情報提供システム、情報提供装置、情報提供方法、プログラム、及び記録媒体」が提案されている。このシステムはデータへの閲覧を許可する複数の第三者のアドレスを管理する管理手段を持っており、このアドレスに対して変更後に通知を行う。そのため、通知は管理されているユーザに対してのみとなり、ブログのように不特定のユーザがユーザＡのエントリからユーザＢのエントリにアクセスする場合、アクセスするユーザは通知を受け取ることはできない。
【０００６】
また、変更後に通知が行われるため、削除された場合、通知を受けてからではエントリに対してアクセスすることができない問題がある。
【０００７】
なお、上述の従来技術やその問題点は、この発明の背景の一部を説明するためにのみ説明している。この発明は上述の従来技術や問題点に限定されるものではない点に留意されたい。
【特許文献１】特開２００３−２８１０３４公報
【発明の開示】
【発明が解決しようとする課題】
【０００８】
この発明は、以上の事情を考慮してなされたものであり、移動、削除が行われる文書等がトラックバックをはっている記事のブログサイトの閲覧ユーザが、そのような移動、削除により不測の不都合を受けないようにする技術を提供することを目的としている。
【課題を解決するための手段】
【０００９】
この発明の原理的な構成によれば、上述の目的を達成するために、期限管理によって移動、削除が行われる文書がトラックバックをはっているトラックバック先の記事エントリを管理するブログサーバ装置に対して、移動・削除の処理が行われる前に、移動、削除が行われる文書の期限管理情報を参照して、通知を行う。
【００１０】
期限管理情報のエントリは、例えば、文書情報、トラックバック先情報、期限管理情報を含む。文書情報は例えば文書のＵＲＬを含む。
【００１１】
通知を行うブログサーバ装置は、例えば、期限切れ判断手段、トラックバック先宛通知処理手段、期限切れ処理手段を構成する。エントリに設定されている期限管理情報を確認し、期限切れまで指定時間以下になった場合、トラックバック先があれば、トラックバック先に対して通知を行う。期限切れ判断手段は、典型的には、一定時間毎にエントリの期限管理情報を確認したり、指定時間以下になったことを通知するイベントを受け取ったりする。また、ユーザ操作によって、削除、移動が指示された場合も、その時から一定時間後を期限として設定し、期限になった段階で削除、移動を行うようにすることで、期限切れ設定時と同じように事前通知を行うことも可能である。
【００１２】
これにより、トラックバック先の記事エントリのブログサイトにアクセスする不特定ユーザが削除、移動処理に先立って情報にアクセスできる。
【００１３】
また、この発明の原理的な構成例において、エントリの移動後もトラックバック先の記事エントリのブログサイトからアクセス可能な場合には、移動後に通知を行うことにより、トラックバック先のエントリにアクセスする不特定ユーザが移動先の情報にアクセスできるようにする。
【００１４】
通知は、トラックバックに対して再度トラックバックをはるだけではなく、トラックバック先のエントリのオーナー情報を取得し、メールでの通知も可能であり、古いトラックバック情報の削除を依頼することにより、リンク切れへのアクセスを行わないようにしてもよい。
【００１５】
トラックバック先の記事エントリを管理するブログサーバ装置は、既存のトラックバックとトラックバック元が同じトラックバックの要求を受けたときには、新たなトラックバックのエントリで既存のトラックバックのエントリを上書きしても良い。この場合、トラックバック先の記事エントリを管理するブログサーバ装置は、同一トラックバック元を監視する。トラックバックがはられると、同一エントリに既にはられているトラックバックとトラックバック元が同一でないか確認し、同じ場合には古いトラックバックを削除する。
【００１６】
さらにこの発明を説明する。
【００１７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１８】
すなわち、この発明の一側面によれば、上述の目的を達成するために、ブログサーバ装置に：記事のトラックバック先情報と、記事の削除および移動の少なくとも一方に関する情報とを含む管理情報を保持する記憶手段と；上記登録管理情報に基づいて、トラックバック先のブログサーバ装置に上記記事のアドレス情報および上記記事のトラックバック先情報を含む、上記記事の削除通知および移動通知の少なくとも一方を送信する通知手段とを設けるようにしている。
【００１９】
この構成においては、トラックバック先のサーバ装置に通知を行うことでトラックバック先をアクセスするユーザに対して、トラックバック元の記事（文書等）の削除、移動等を報知することが可能になる。
【００２０】
また、この発明の他の側面によれば、上述の目的を達成するために、ブログサーバ装置に：記事のアドレス情報と、記事のトラックバック先情報と、記事の削除および移動の少なくとも一方の予定時期に関する情報とを含む管理情報を保持する記憶手段と；上記記事の削除および移動の少なくとも一方の通知のタイミングを判別する判別手段と；判別された通知のタイミングで上記記事の削除および移動の少なくとも一方の通知を上記記事のトラックバック先のブログサーバ装置に送信する手段と；上記予定時期に上記記事の削除および移動の少なくとも一方を行う記事処理手段とを設けている。
【００２１】
この構成においても、トラックバック先のサーバ装置に通知を行うことでトラックバック先をアクセスするユーザに対して、トラックバック元の記事（文書等）の削除、移動等を報知することが可能になる。
【００２２】
上記通知手段は、典型的には、上記記事の削除通知および移動通知の少なくとも一方を、トラックバックの通知により実行するが、他の手段により通知しても良い。
【００２３】
また、この発明のさらに他の側面によれば、第１のブログサーバ装置および第２のブログサーバ装置を含んで情報共有システムを構築し、上記第１のブログサーバ装置に：記事のトラックバック先情報と、記事の削除および移動の少なくとも一方を含む管理情報とを保持する記憶手段と；上記登録管理情報に基づいて、トラックバック先のブログサーバ装置に上記記事のアドレス情報および上記記事のトラックバック先情報を含む、上記記事の削除通知および移動通知の少なくとも一方を送信する通知手段とを設けるようにしている。さらに上記第２のブログサーバ装置に：記事のアドレス情報および上記記事のトラックバック先情報を含む、上記記事の削除通知および移動の少なくとも一方を受け取る受信手段と；上記記事の削除通知および移動通知の少なくとも一方に基づいて上記削除通知および移動通知の少なくとも一方の通知内容を含むトラックバックのエントリを形成する形成手段とを設けるようにしている。
【００２４】
この構成においても、トラックバック先のサーバ装置に通知を行うことでトラックバック先をアクセスするユーザに対して、トラックバック元の記事（文書等）の削除、移動等を報知することが可能になる。
【００２５】
また、この発明のさらに他の側面によれば、上述の目的を達成するために、ブログサーバ装置に：記事の削除期限および移動期限の少なくとも一方を設定する設定手段と；上記記事の削除期限および移動期限の少なくとも一方の情報を含むように、上記記事をトラックバック元とするトラックバック通知を生成する生成手段と；上記トラックバック通知をトラックバック先のブログサーバ装置に送信する送信手段とを設けるようにしている。
【００２６】
この構成においても、トラックバック先のサーバ装置に通知を行うことでトラックバック先をアクセスするユーザに対して、トラックバック元の記事（文書等）の削除、移動等を報知することが可能になる。
【００２７】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品（記録媒体または通信ネットワークを介して提供されるプログラム）もこの発明の技術的な範囲に含まれることも当然である。
【００２８】
この発明の上述の側面および他の側面は特許請求の範囲に記載され以下実施例を用いて詳述される。
【発明の効果】
【００２９】
この発明によれば、期限切れ処理の一定期間前にトラックバック先に通知することにより、トラックバック先のエントリにアクセスする不特定ユーザが処理の事前に情報にアクセスできるようになる。
【発明を実施するための最良の形態】
【００３０】
以下、この発明の実施例について説明する。
【００３１】
図１は、この発明の情報共有システムを示している。この実施例の情報共有システムは、複数のブログサーバ１００および複数のクライアント端末２００とを含んで構成されている。図１では、２つのブログサーバ１００Ａおよび１００Ｂを示しているが、これは一例であり、他のブログサーバを含んでも良い。なお、以下の説明では、ブログサーバ１００Ａの各部には「Ａ」のサフィックスを付し、ブログサーバ１００Ｂの各部には「Ｂ」のサフィックスを付して区別する。区別する必要がない場合には、サフィックスを省略して説明する。
【００３２】
ブログサーバ１００は、ＣＰＵ、主メモリ、入出力装置、外部メモリ等を含み、主メモリにロードしたプログラム（プロセス）により各種の処理が実行される。プログラムは記録媒体や通信ネットワークを用いてブログサーバ１００にインストールされる。
【００３３】
ブログサーバ１００は、基本的にはウェブサービス機能とブログサービスを提供するアプリケーションとから構成される。ブログサービスは、投稿された記事や記事に対するコメントを受信してデータベースに保管管理し、その内容をウェブサービスを用いてユーザに提示する。ブログサーバ１００はウェブサーバを用いて構成しても良いし、ウェブサーバ、データベース管理サーバ、アプリケーションサーバを用いて構成しても良い。
【００３４】
図１において、ブログサーバ１００Ａ、１００Ｂおよびクライアント端末２００が通信ネットワーク３００を介して接続されている。ブログサーバ１００は、投稿処理部１０、記事データベース１１、記事公開部１２、トラックバック通知送信部１３、トラックバック通知受信部１４、トラックバック通知処理部１５、期限管理部１６、期限管理データベース１７、期限設定部１８、記事処理部１９等を含んで構成されている。
【００３５】
投稿処理部１０は、ウェブサービスで送られてきた記事、コメントを受け取り、これらを記事データベース１１に登録するものである。トラックバック通知受信部１４は、ブログサーバ１００が管理する記事をトラックバック先とするトラックバック通知を受信する。トラックバック通知は、トラックバック元の記事のアドレス情報（ＵＲＬ）、タイトル等のトラックバック元の記事の情報を受信し、トラックバック通知処理部１５は、トラックバック先の記事に関連付けてトラックバック情報を記事データベース１１に登録する。
【００３６】
投稿処理部１０は、記事にトラックバック先アドレス（トラックバックＵＲＬ）が伴っている場合には、記事のアドレス（ＵＲＬ）、記事のタイトル等の情報、トラックバック先アドレスを含むトラックバック通知を組み立ててトラックバック通知送信部１３を介してトラックバック先の記事を管理する他のブログサーバに送信する。
【００３７】
記事公開部１２は、クライアント端末２００からのＨＴＴＰ要求を受け取って対応するブログサイトのウェブページを構築してＨＴＴＰ応答としてクライアント端末に返し、クライアント端末２００のブラウザプログラムは、ＨＴＴＰ応答を処理してブログサイトの記事、コメント、トラックバック等の表示を行う。
【００３８】
なお、図では記事データベース１１と期限管理データベース１７とを別々に示したが、一体に構成しても良い。
【００３９】
期限管理部１６は、期限管理データベース１７に保管管理されている期限管理情報を参照して記事の削除、移管を制御し、さらに、記事の削除、移管の事前通知を記事のトラックバック先に送信する。期限管理データベース１７が管理する期限管理レコードは、トラックバック元の記事（文書）の識別子、ネットワークアドレス（ＵＲＬ）、削除、移管の別、削除、移管の時期、移管の場合には移管先情報（ＵＲＬ）を含む。期限管理部１６は、事前に通知するタイミングが到来している期限管理レコードを取り出して、そのレコードを参照して、該当記事をトラックバック元とし、トラックバック先をそのままトラックバック先としてトラックバック通知を生成してトラックバック通知送信部１３を介してトラックバック先のブログサーバ１００へ送信する。トラックバック通知には、何時を期限に記事が削除、移管されるかを示すテキスト等が含まれる（移管の場合には移管先のＵＲＬを含むことが好ましい。その他連絡先等の補助的な情報を含んでもよい）。このテキスト等は期限管理部１６が期限管理データベース１７の期限管理情報を参照して生成できる。
【００４０】
期限管理部１６は、記事の削除、移管期限が到来すると、これを判別して、記事処理部１９に記事の処理を依頼する。記事処理部１９は、記事データベース１１にアクセスして記事の削除、移管を行う。移管を行う場合には、削除に併せて、記事の登録を外部のサーバに依頼する。
【００４１】
記事の削除、移管の期限は期限設定部１８により設定される。期限は記事（文書）の種類等の属性に応じて自動的に決定されても良いし、記事の所有者等により設定されてもよい。期限には無期限も含まれる。
【００４２】
つぎにこの実施例の動作例を説明する。
【００４３】
［期限切れで削除が設定されている場合］
ブログサーバ１００ＡにはユーザＡが投稿した文書Ａがある。ブログサーバ１００ＢにはユーザＢが登録した文書Ｂがあり、文書Ａに対してトラックバックがはってある。ブログサーバ１００Ｂの文書Ｂがトラックバック元であり、ブログサーバＡの文書Ａがトラックバック先である。トラックバック元の文書Ｂには、登録時に、１ヶ月後に削除の期限切れ設定がされている。その後、時間が経過して通知期限（例えば削除の１週間前）が到来する。
【００４４】
図２はこの場合の処理例を示しており、その詳細は以下のとおりである。
【００４５】
［ステップＳ１１］：ブログサーバ１００Ｂにおいて文書Ｂに対して期限切れ設定時にタイマーがセットされ、期限切れの通知期限（例えば１週間前）に期限通知イベントをあげる。
［ステップＳ１２］：ブログサーバ１００Ｂの期限管理部１６Ｂ（期限切れ判断手段）はステップＳ１１のイベントを受け取ると、トラックバック先通知処理を呼び出す。
［ステップＳ１３］：トラックバック先通知処理は、文書Ｂがトラックバックをはったトラックバック先の文書Ａを管理するブログサーバ１００Ａに対して再度トラックバック通知を送り、文書Ａに再度トラックバックをはり、削除される日時等を文字列として埋め込み、通知する。
［ステップＳ１４］：ブログサーバ１００Ｂの記事処理部１９（期限切れ処理）は、文書Ｂの期限切れ日時になると、文書Ｂを記事データベース１１から削除する。
【００４６】
ステップＳ１３でトラックバックがはられたあとから、ステップＳ１４で文書が削除されるまでの間、文書Ａを見たユーザは文書Ｂが削除されることがわかる。（通常、トラックバックは新しいものが先に表示されるため、以前にはってあったトラックバックより先に見ることになる）
【００４７】
ステップＳ１１でタイマーがセットされるタイミングは、トラックバック設定→期限切れ設定の順番であれば、期限切れ設定時、逆の順番であればトラックバック設定時というようにしてもよい。
【００４８】
最初にトラックバックをはる時点で文書Ｂに期限が設定されていれば、最初のトラックバック時点でも期限情報を通知し（当初のトラックバック通知に期限情報を含ませる）、通知期限時に再度トラックバックをはるようにしてもよい。
【００４９】
ブログサーバ１００Ａでトラックバックで通知された削除日時を解釈する機能を持つ場合、ブログサーバ１００Ａは削除日時後にポーリングを行い、トラックバック元が削除されていたら、トラックバックのハイパーリンクを削除するようにしてもよい。
【００５０】
［期限切れで別システムに移動が設定されている場合］
ブログサーバ１００ＡにはユーザＡが投稿した文書Ａがある。ブログサーバ１００ＢにはユーザＢが登録した文書Ｂがあり、文書Ａに対してトラックバックがはってある。ブログサーバ１００Ｂの文書Ｂがトラックバック元であり、ブログサーバＡの文書Ａがトラックバック先である。トラックバックもとの文書Ｂには、登録時に、１ヶ月後に別システム（例えば別のブログサーバや文書管理サーバ）への移動するように期限切れ設定がされている。その後、時間が経過して通知期限（例えば削除の１週間前）が到来する。
【００５１】
図３はこの場合の処理例を示しており、その詳細は以下のとおりである。
【００５２】
［ステップＳ２１］：ブログサーバ１００Ｂの期限管理部１６Ｂ（期限切れ判断手段）は、一定時間毎に各エントリの期限管理情報を確認し、文書Ｂの通知期限（例えば１週間前）が到来していることを検知する。
［ステップＳ２２］：ブログサーバ１００Ｂの期限管理部１６Ｂ（期限切れ判断手段）は、トラックバック先通知処理を呼び出す。
［ステップＳ２３］：トラックバック先通知処理は、文書Ｂがトラックバックをはったトラックバック先の文書Ａを管理するブログサーバ１００Ａに対して再度トラックバック通知を送り、文書Ａに再度トラックバックをはり、移動される日時等も通知する。
［ステップＳ２４］：記事処理部１９Ｂ（期限切れ処理）は、文書Ｂの期限切れ日時になると、期限切れ処理として設定された別システムの移動を行う。
［ステップＳ２５］：記事処理部１９Ｂ（期限切れ処理）は、文書Ｂを移動した別システムがＨＹＹＰやＦＴＰなどでアクセス可能な場合、トラックバック先通知処理（トラックバック通知送信部１３Ｂ）を呼び出す。
［ステップＳ２６］：トラックバック先通知処理は、文書Ａに対して、文書Ｂの移動先のアクセス先を再度トラックバックで通知する。文書Ａをトラックバック先とし、移行先の文書Ｂをトラックバック元にする。
【００５３】
文書Ａを見たユーザはステップＳ２３で文書Ｂが移動されることがわかる。これにより、アクセス制限等で移動先にアクセスできない場合、必要であれば事前に文書Ｂにアクセスすることができる。
【００５４】
文書Ａを見たユーザはステップＳ２６で文書Ｂの移動先がわかる。これにより、移動先で文書Ｂにアクセスすることができる。
【００５５】
ブログサーバＡ（例えばそのトラックバック通知処理部１５）に同一トラックバック元監視機能がある場合、ステップＳ２３、およびステップＳ２６で再トラックバックの際に、同じトラックバック元であることを判断し、古いトラックバックを削除するようにしてもよい。
【００５６】
［ユーザ操作による削除する場合］
ブログサーバ１００ＡにはユーザＡが投稿した文書Ａがある。ブログサーバ１００ＢにはユーザＢが登録した文書Ｂがあり、文書Ａに対してトラックバックがはってある。ブログサーバ１００Ｂの文書Ｂがトラックバック元であり、ブログサーバＡの文書Ａがトラックバック先である。
【００５７】
図４がこの場合の処理例を示す。
【００５８】
［ステップＳ３１］：ユーザＢまたは管理者Ｃが文書Ｂの削除を指示する。ブログサーバ１００Ｂの期限設定部１８Ｂがこの指示に受け付ける。
［ステップＳ３２］：期限設定部１８Ｂは、文書Ｂに対して指定期間（例えば２日間）の期限切れを設定する。
［ステップＳ３３］：期限管理部１６Ｂは、文書Ｂがトラックバックをはった文書Ａのオーナー情報をブログサーバ１００Ａから取得し、ユーザＡに対して文書Ｂの削除される日時等を通知する。なお、先の例のように再度トラックバック通知を行っても良い。
［ステップＳ３４］：期限管理部１６Ｂの制御の下、記事処理部１９Ｂ（期限切れ処理部）は、文書Ｂの期限切れ日時になると、文書Ｂを削除する。
【００５９】
ユーザＡは必要であれば、文書Ａのトラックバック情報から文書Ｂの情報を削除する。
【００６０】
この実施例によれば、期限切れ処理の一定期間前にトラックバック先に通知することにより、トラックバック先のエントリにアクセスする不特定ユーザが処理の事前に情報にアクセスできるようになる。
【００６１】
また、期限切れ処理が移動の場合、移動後に通知を行うことにより、トラックバック先のエントリにアクセスする不特定ユーザが移動先の情報にアクセスできるようになる。
【００６２】
また、トラックバック先のエントリのオーナー情報を取得し、メールでの通知を行うことにより、古いトラックバック情報の削除を依頼し、リンク切れへのアクセスを行わないようにすることができる。
【００６３】
また、ユーザ操作による削除、移動が指示されたときにも、一定時間後に指示された操作を行うようにすることで、期限切れ時と同じような効果がある。
【００６４】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。
【図面の簡単な説明】
【００６５】
【図１】この発明の実施例の情報共有システムの構成を説明する図である。
【図２】実施例の動作例を説明するフローチャートである。
【図３】実施例の他の動作例を説明するフローチャートである。
【図４】実施例のさらに他の動作例を説明するフローチャートである。
【符号の説明】
【００６６】
１０       投稿処理部
１１       記事データベース
１２       記事公開部
１３       トラックバック通知送信部
１４       トラックバック通知受信部
１５       トラックバック通知処理部
１６       期限管理部
１７       期限管理データベース
１８       期限設定部
１９       記事処理部
１００    ブログサーバ
２００    クライアント端末
３００    通信ネットワーク
【図１】
2008181343.tif 000003
【図２】
2008181343.tif 000004
【図３】
2008181343.tif 000005
【図４】
2008181343.tif 000006